(57)【要約】【課題】  一人でも容易に着脱でき、動きやすく、持ち運びしやすい防水服を提供する。【解決手段】  着脱と防水の両機能を有する開口部を設け、防水ファスナーを使用しないため、着脱しやすく、動きやすく、持ち運びしやすくした防水服である。【選択図】図６
2015214781.tif 000002
【特許請求の範囲】
【請求項１】
伸縮性のある素材を使用し、着脱と防水の両機能を有する開口部を顎部から頭頂部に渡る部分に設けたことを特徴とする防水服。
【請求項２】
伸縮性のある素材を使用し、着脱と防水の両機能を有する開口部を顔前面部に設けたことを特徴とする防水服。
【請求項３】
伸縮性のある素材を使用し、着脱と防水の両機能を有する開口部を首囲に設けたことを特徴とする防水服。
【請求項４】
着脱と防水の両機能を有する開口部に、留め具を設けることを特徴とする防水服。
【発明の詳細な説明】
【技術分野】
【０００１】  本発明は、着脱と防水の両機能を有する開口部がある、防水服に関するものである。
【背景技術】
【０００２】  従来の防水服は、防水ファスナーと首で防水するもので、普通のファスナーと違い大きく堅く重いもので、開けたり締めたり、着脱するのに手間がかかり、防水ファスナーが背中側についているものにおいては、一人では着脱できない等の問題があった。【０００３】  歩いたり走ったり座って乗り物を運転したりするには、防水ファスナーは機能上折れると水没の原因になり、その後使用できなくなるため、曲げ伸ばしする場所には取り付けできず、又首を締めつけて防水するため苦しく、硬く、重く動きにくいものであった。【０００４】  防水ファスナーは約１ｍ前後であり、長く伸ばしたまま持たなければならず、小さくたたんだりはごきないため、防水ファスナー以外の本体の素材もクロロプレンなどの厚いものだったりすると、大きく、重く、持ち運びしにくいという欠点があった。
【先行技術文献】
【特許文献】
【０００５】
【特許文献１】特開平１１−３１０１９３号公報
【発明の概要】
【発明が解決しようとする課題】
【０００６】  解決しようとする問題点は、一人でも容易に着脱できずに、動きづらく、持ち運びしにくいという点である。
【課題を解決するための手段】
【０００７】  本発明は、防水服に、着脱と防水の両機能を有する開口部を設けたことを最も主要な特徴とする。
【発明の効果】
【０００８】  本発明の防水服は、着脱と防水の両機能を有する開口部を設けたことにより、一人でも容易に着脱でき、歩いたり走ったり座って乗り物を運転したり、動きやすく、持ち運びしやすいという利点がある。
【図面の簡単な説明】
【０００９】
【図１】  防水服の実施方法を示した正面図である。（実施例１）
【図２】  防水服の実施方法を示した側面図である。（実施例１）
【図３】  防水服の実施方法を示した側面図である。（実施例１）
【図４】  防水服の実施方法を示した正面図である。（実施例２）
【図５】  防水服の実施方法を示した側面図である。（実施例２）
【図６】  防水服の実施方法を示した正面図である。（実施例３）
【図７】  防水服の実施方法を示した側面図である。（実施例４）
【図８】  防水服の実施方法を示した側面図である。（実施例４）
【発明を実施するための形態】
【００１０】  防水服に着脱と防水の両機能を有する開口部を設け、防水ファスナーを設けないという実施形態を４例説明するが、これらの形態に限定されるものではない。
【実施例１】
【００１１】  図１、図２、図３は、伸縮性のある素材を使用し、着脱と防水の両機能を有する開口部を、顎部から頭頂部に渡る部分に設けた防水服の例である。【００１２】  図２側面図の伸縮素材部１は、顎部と顔側面部と頭頂部で防水されており、髪の毛が無い人では防水性が高いが、髪の毛がある人は防水性が低いが波しぶき程度では問題ない。防水性を高めるために、水泳用のゴムやシリコンでできたヘアキャップ等を装着した上から被せることもできる。この場合頭囲に持っていって防水することもできる。呼吸する穴や、視界のための透明な部分を設けることが必要になる。【００１３】  顎部から頭頂部で防水する場合、約６０〜約８０ｃｍ程度の周囲であるため、着脱するためには、約２倍〜約２．５倍程度伸びる素材であれば、問題なく着脱できる。フード部２は伸びない素材であれば、その分だけの周囲の幅がある必要がある。【００１４】  図３の側面図は、伸縮素材部１を頭からはずした場合の使用例であり、首囲より伸縮素材部１の方が周囲が大きいため、首を締めつけず、安全に楽に動くことができる。【００１５】  伸縮性のある素材は、１とフード部２又は防水服の全体１０でも良い。
【実施例２】
【００１６】  図４は、伸縮性のある素材を使用し、着脱と防水の両機能を有する開口部を、顔前面部に設けた防水服の例である。【００１７】  伸縮素材部３は、顔と頭が密着しているが、３倍程度伸びることが要求される。【００１８】  図５の側面図は、伸縮素材部３を頭からはずした場合の使用例であり、首囲より伸縮素材部３の方が周囲が大きいため、首を締めつけず、安全に楽に動くことができる。【００１９】  伸縮性のある素材は、防水服の全体１０でも良い。
【実施例３】
【００２０】  図６は、伸縮性のある素材を使用し、着脱と防水の両機能を有する開口部を、首囲に設けた防水服の例である。【００２１】  伸縮素材部４は、首囲で防水されており、３倍程度伸びることが要求される。【００２２】  伸縮性のある素材は、防水服の全体１０でも良い。
【実施例４】
【００２３】  図７、図８は、着脱と防水の両機能を有する開口部に、留め具を設けることによって可能とした防水服の例である。【００２４】  留め具は、チャック付樹脂やゴム、クリップ、ベルクロ、マグネット等が考えられる。【００２５】  図８は、水面では呼吸するために、留め具１２を一部開けたり、管１４やスノーケル等、水中ではレギュレータ等の呼吸装置を設ける。【００２６】  図８のフード部５は、視界を確保するために、透明素材にするか、透明な部分を設けるか、マスク等を設ける。【００２７】  尚、上記実施の形熊を示す図において、防水服の全体１０は着衣後手にグローブを装着するタイプのものであるが、初めからグローブを備えたものでも良いし、足の部分は、初めからブーツのものや、ソックスの様に柔らかい素材で靴やブーツを履ける様にしたものや、足首から切って着衣後に靴やブーツを装着することもできる。【００２８】  防水服の素材について、その物事態は浮力のない物でも、中に着る衣服の空気の溜まり方によって浮力が変わり、水面では首の部分くらいまでは沈まないことが知られているが、浮力のある素材、または浮力帯を付けることもできる。【００２９】  水中で使用する場合は、給気及び排気バルブが必要な場合もある。
【産業上の利用可能性】
【００３０】  津波、風水害、海難事故の非難、救助、捜索、瓦礫処理と言った場合、水没するとすぐに低体温症になることが多く、体を濡らさないことが重要であるが、そのためには、服を着たままで着脱がすばやくできること、初めから着ていても苦にならない程動きやすいこと、防水ファスナーがないため折りたたむことができ、安価で軽く、常に持ち運んだり身につけることができる防水服が必要となる。
海抜より低い地域や、水害ハザードマップに載っている地域に住んでいる人々、又はそこに行く場合、釣り、農業、漁業、水面、水中でのスポーツや作業、船や飛行機などの非難具、水没の可能性のあるあらゆる場所での用途に適用できる。
【符号の説明】
【００３１】  １  伸縮素材部
２  フード部
３  伸縮素材部
４  伸縮素材部
５  フード部
１０  防水服の全体
１２  留め具
１４  管
【図１】
2015214781.tif 000003
【図２】
2015214781.tif 000004
【図３】
2015214781.tif 000005
【図４】
2015214781.tif 000006
【図５】
2015214781.tif 000007
【図６】
2015214781.tif 000008
【図７】
2015214781.tif 000009
【図８】
2015214781.tif 000010